(57)【要約】【課題】球の適切な払い出しを図る。【解決手段】球貯蔵室１３の球が球払出供給口１５から左右の隙間２４に１個ずつ取り込まれた状態において、球払出モータ１９が球払出構造体２０を矢印Ｗで示す方向に回転すると、螺旋体２３が左右の隙間２４に１個ずつ取り込まれた球を１個ずつ分離したまま矢印Ｘ３で示すように球払出排出口１７の方である後方に移動させ、この後方に移動した球が球払出排出口１７の真上に到達して螺旋体２３から外れて自重で球払出排出口１７に落下するというように、球貯蔵室１３の底面１４が球を球払出供給口１５に向けて流下させる矢印Ｘ１；Ｘ２で示す左右方向と球払出構造体２０が球を球払出排出口１７に向けて移動する矢印Ｘ３で示す前後方向とが互いに交差し、球払出構造体２０が球貯蔵室１３の球から受ける球圧の方向と球を移動する方向とが互いに交差する方向となり、球払出モータ１９の負担が軽減するようになっている。【選択図】図１
2008125581.tif 000002
【特許請求の範囲】
【請求項１】
タンクには球貯蔵室が設けられ、球貯蔵室の底部には球を球貯蔵室から球払出収容部に落下させる球払出供給口と球払出供給口から下方に窪む空間を形成する球払出収容部とが設けられ、球貯蔵室の球と接触する底面は球貯蔵室に取り込まれた球を球払出供給口に向けて左から右または右から左に流下させる斜面を構成し、球払出収容部の前部または後部には球払出排出口が設けられ、球払出構造体は直線状の丸棒により構成され払出軸と払出軸の軸心と平行な方向に球を１個ずつ分離する間隔で払出軸の外周面から径方向外側に螺旋形状に突出した螺旋体とを備え、球払出構造体が払出軸の軸心を前後方向に延びるように向けて球払出収容部に回転可能に配置されたことによって、球払出収容部の内部には球払出収容部と払出軸と螺旋体とで囲まれて球を１個ずつ取り込む隙間が形成され、タンクの外側には球払出構造体に連結された球払出モータが設けられ、球払出モータが球払出構造体を払出軸の軸心を中心とする円周の一方向に回転するように駆動することによって、球払出構造体の螺旋体が球貯蔵室から上記隙間に取り込まれた球を１個ずつ分離しながら球払出排出口の方である前方または後方に移動させることを特徴とする遊技機の球払出装置。
【請求項２】
請求項１記載の球払出モータがタンクの後部に設けられたことを特徴とする遊技機の球払出装置。
【発明の詳細な説明】
【技術分野】
【０００１】
本発明は、球が適切に払い出される遊技機の球払出装置に関する。
【背景技術】
【０００２】
球を遊技媒体として使用するパチンコ遊技機などの遊技機の球払出装置は、賞球または貸球としての球を遊技機の後部から前部に払い出すものである。図４は、特許文献１で開示されたパチンコ遊技機の球払出装置の断面を示す。図４において、タンク３１の球貯蔵室３２における底部には球払出機構３３が設けられる。そして、球払出機構３３の球払出モータ３４が駆動して螺旋状の球払出構造体３５を球払出構造体３５の左右方向に延びる軸心Ｌ２を中心として一方向に回転することによって、球払出構造体３５が球貯蔵室３２から球払出供給口３６を経由して球払出収容部３７に取り込まれた球を１個ずつ分離しつつ球払出排出口３８から下部の球樋３９の方に払い出すようになっている。しかしながら、球貯蔵室３２の底面４０が球を球払出供給口３６に向けて流下させる矢印Ｘ５で示す方向と球払出構造体３５が球を球払出排出口３８に向けて移動する矢印Ｘ６で示す方向とが互いに逆の向きであることから、球払出構造体３５が球貯蔵室３２の球から受ける球圧の方向と球を移動する方向とが互いに逆の方向になっている。このため、球払出モータ３４に負担がかかり過ぎ、球詰まりを発生しやすいという欠点がある。
【特許文献１】特開平８−１０４１５号公報
【発明の開示】
【発明が解決しようとする課題】
【０００３】
発明が解決しようとする問題点は、球詰まりが発生しやすいという点である。
【課題を解決するための手段】
【０００４】
本発明に係る遊技機の球払出装置は、タンクには球貯蔵室が設けられ、球貯蔵室の底部には球を球貯蔵室から球払出収容部に落下させる球払出供給口と球払出供給口から下方に窪む空間を形成する球払出収容部とが設けられ、球貯蔵室の球と接触する底面は球貯蔵室に取り込まれた球を球払出供給口に向けて左から右または右から左に流下させる斜面を構成し、球払出収容部の前部または後部には球払出排出口が設けられ、球払出構造体は直線状の丸棒により構成され払出軸と払出軸の軸心と平行な方向に球を１個ずつ分離する間隔で払出軸の外周面から径方向外側に螺旋形状に突出した螺旋体とを備え、球払出構造体が払出軸の軸心を前後方向に延びるように向けて球払出収容部に回転可能に配置されたことによって、球払出収容部の内部には球払出収容部と払出軸と螺旋体とで囲まれて球を１個ずつ取り込む隙間が形成され、タンクの外側には球払出構造体に連結された球払出モータが設けられ、球払出モータが球払出構造体を払出軸の軸心を中心とする円周の一方向に回転するように駆動することによって、球払出構造体の螺旋体が球貯蔵室から上記隙間に取り込まれた球を１個ずつ分離しながら球払出排出口の方である前方または後方に移動させることを最も主要な特徴とする。球払出モータがタンクの後部に設けられてもよい。
【発明の効果】
【０００５】
本発明に係る遊技機の球払出装置は、球貯蔵室の底面が球を球払出供給口に向けて流下させる左右方向と球払出構造体が球を球払出排出口に向けて移動する前後方向とが互いに交差する向きに構成されたことによって、球払出構造体が球貯蔵室の球から受ける球圧の方向と球を移動する方向とが互いに交差する方向となり、球払出モータの負担が軽減し、球詰まりが発生しなくなり、球が適切に払い出されるという利点がある。球払出モータがタンクの後部に設けられれば、球払出モータをタンクから後方に取り外せるので、球貯蔵室の内部から球や異物を除去する保守作業が容易であるという利点がある。
【発明を実施するための最良の形態】
【０００６】
図１乃至図３は、発明を実施するための最良の形態である。図１は、パチンコ遊技機の遊技機枠１を示す、図２は図１をＡ−Ａ線に沿って切断した断面を示す。図３は、図１をＢ−Ｂ線に沿って切断した断面を示す。本明細書において、「前」、「後」、「左」、「右」、「上」、「下」の方向は、遊技機枠１を図１に矢印Ｓで示す前方から見た場合に特定される方向である。
【０００７】
図１を参照し、パチンコ遊技機について説明する。パチンコ遊技機は、遊技機枠１の内部に図外の遊技盤を交換可能に取り付ける形態である。遊技機枠１は、固定枠２の前部に可動枠３を備え、可動枠３の前部に前扉４と球受皿５および球発射操作機構６を備え、可動枠３の後部に球払出装置７を備える。固定枠２は、図外の遊技機設置設備に固定される。遊技機設置設備は、パチンコ遊技機を設置する遊技店の島と呼ばれる設備である。可動枠３は、左側に位置するヒンジ８を中心とし、固定枠２の前で前方に開かれ後方に閉じられるように、開閉可能である。可動枠３には、図外の施錠装置、図外の遊技盤を交換可能に取り付けるための機構、図外の球発射機構も設けられる。前扉４および球受皿５は、左側に位置するヒンジ９を中心とし、可動枠３の前で前方に開かれ後方に閉じられるように、開閉可能である。前扉４には、図外の窓、当該窓を塞ぐ透明体、演出機器などが設けられる。演出機器は、表示灯やスピーカなどである。図外の遊技盤が可動枠３に取り付けられ、前扉４が閉じられた状態において、遊技盤の前面が前扉４の窓および透明体を通して見える。
【０００８】
球払出装置７は、賞球または貸球としての球を遊技機枠１の後部から遊技機枠１の前部における球受皿５に払い出す機械であって、タンク１１の下部に球払出機構１２を備える。タンク１１は、賞球または貸球として払い出す球を収容する容器であって、可動枠３の上部に位置し、可動枠３の後部に取り付けられる。タンク１１には、球貯蔵室１３が設けられる。球貯蔵室１３は、可動枠３から後方に突出し、上方に開口しかつ上方から下方に窪む部屋であって、遊技機設置構造体の補給機構から供給された球を収容する。球貯蔵室１３の底面１４は、球貯蔵室１３の内部に取り込まれた球と接触する面であって、球貯蔵室１３の内部に取り込まれた球を球払出供給口１５に向けて流下させる斜面を構成する。
【０００９】
図２にも示すように、球払出供給口１５から左側に位置する球貯蔵室１３の底面１４は、左から右に下り勾配となる斜面を構成し、球払出供給口１５から右側に位置する球貯蔵室１３の底面１４は、右から左に下り勾配となる斜面を構成する。つまり、球払出供給口１５から左側に位置する球貯蔵室１３の底面１４は、球を矢印Ｘ１で示す左から右に向けて流下させる斜面を構成する。球払出供給口１５から右側に位置する球貯蔵室１３の底面１４は、球を矢印Ｘ２で示す右から左に向けて流下させる斜面を構成する。
【００１０】
図１に戻り、球貯蔵室１３の底部には、球払出供給口１５と球払出収容部１６とが設けられる。球払出供給口１５は、球貯蔵室１３に取り込まれた球を球貯蔵室１３から球払出収容部１６に落下させる貫通孔である。球払出収容部１６は、球払出供給口１５から下方に窪む空間を形成する。球払出収容部１６の後部には球払出排出口１７が連接される。球払出排出口１７は、球払出収容部１６から下方に球を落下させる貫通孔である。
【００１１】
球払出機構１２は、球払出モータ１９で球払出構造体２０を駆動し、球貯蔵室１３から球払出排出口１７の方に球を１個ずつ分離しながら払い出す機構である。球払出モータ１９は、球払出モータ１９のモータ軸のような出力軸２１を前方に向け、タンク１１の外側に位置し、タンク１１の後部に取り付けられる。球払出構造体２０は、球払出収容部１６に配置され、払出軸２２および螺旋体２３を備える。
【００１２】
払出軸２２は、直線状の丸棒により構成され、払出軸２２の軸心Ｌ１を前後方向に延びるように向け、球払出収容部１６に回転可能に支持され、球払出モータ１９のモータ軸のような出力軸に連結される。螺旋体２３は、払出軸２２に設けられ、払出軸２２の前後方向に延びる軸心Ｌ１と平行な方向に球を１個ずつ分離する間隔で、払出軸２２の外周面から径方向外側に螺旋形状に突出する。球払出構造体２０が球払出収容部１６に配置された場合、球払出収容部１６の内部には左右の隙間２４が払出軸２２を境として形成される。隙間２４は、球払出収容部１６と払出軸２２と螺旋体２３とで囲まれた空間である。
【００１３】
球貯蔵室１３において、球は、図２に仮想線で示すように、球払出供給口１５から左右の隙間２４に１個ずつ取り込まれる。その状態において、球払出モータ１９が球払出構造体２０を矢印Ｗで示す方向に回転すると、螺旋体２３が左右の隙間２４に１個ずつ取り込まれた球を１個ずつ分離したまま図１または図３に矢印Ｘ３で示すように球払出排出口１７の方である後方に移動させる。この後方に移動した球は、図３に矢印Ｘ４で示すように、球払出排出口１７の真上に到達して螺旋体２３から外れて自重で球払出排出口１７に落下する。球払出排出口１７から落下した球は、図外の球樋を経由して図１の球受皿５に払い出される。
【００１４】
最良の形態によれば、図１に示すように、球貯蔵室１３の底面１４が球を球払出供給口１５に向けて流下させる矢印Ｘ１；Ｘ２で示す左右方向と球払出構造体２０が球を球払出排出口１７に向けて移動する矢印Ｘ３で示す前後方向とが互いに交差する向きに構成されたことから、球払出構造体２０が球貯蔵室１３の球から受ける球圧の方向と球を移動する方向とが互いに交差する方向となり、球払出モータ１９の負担が軽減し、球詰まりが発生しなくなり、球が適切に払い出されるという利点がある。球払出モータ１９がタンク１１の後部に設けられているので、球払出モータ１９をタンク１１から後方に取り外せるので、球貯蔵室１３の内部から球や異物を除去する保守作業が容易であるという利点がある。
【産業上の利用可能性】
【００１５】
図１において、球払出排出口１７が球払出収容部１６の前部に連接されてもよい。この場合、螺旋体２３が左右の隙間２４に１個ずつ取り込まれた球を１個ずつ分離したまま球払出排出口１７の方である前方に移動させるように、球払出モータ１９が球払出構造体２０を回転させる。
【００１６】
図１において、球払出収容部１６が球貯蔵室１３の最も左側または最も右側の位置に設けられてもよい。球払出収容部１６が球貯蔵室１３の最も左側の位置に設けられた場合、底面１４は球を矢印Ｘ２で示す右から左に向けて流下させる斜面を構成する。球払出収容部１６が球貯蔵室１３の最も右側の位置に設けられた場合、底面１４は球を矢印Ｘ１で示す左から右に向けて流下させる斜面を構成する。
【００１７】
図１において、球払出モータ１９のモータ軸のような出力軸２１が後方に向けられ、球払出モータ１９がタンク１１の外側に位置してタンク１１の前部に取り付けられてもよい。また、球払出モータ１９はタンク１１の外側に位置してタンク１１の下部に取り付けられてもよい。つまり、出力軸２１と払出軸２２との連結構造が複雑になるものの、球払出モータ１９がタンク１１に取り付けられる場所はタンク１１の後部に限定されない。
【００１８】
図１において、球払出構造体２０の１回転で払い出される球の個数は減少するものの、隙間２４は払出軸２２より左または右にだけ形成すれば、球払出モータ１９の負荷が低減される。
【００１９】
図１において、遊技機はパチンコ遊技機に限定されるものではなくスロットマシンでもよい。つまり、遊技盤を図柄表示器に置換し、球発射操作機構６を球取込操作機構に置換し、球発射機構を球取込機構に置換し、遊技開始操作機構および図柄停止操作機構を可動枠３の前部に設ければ、球払出装置７はスロットマシンにも適用できる。
【図面の簡単な説明】
【００２０】
【図１】パチンコ遊技機の遊技機枠の平面図に相当する模式図（最良の形態）。
【図２】図１のＡ−Ａ線断面図（最良の形態）。
【図３】図１のＢ−Ｂ線断面図（最良の形態）。
【図４】球払出装置の縦断面図（従来）。
【符号の説明】
【００２１】
１は遊技機枠、２は固定枠、３は可動枠、４は前扉、５は球受皿、６は球発射操作機構、７は球払出装置、８はヒンジ、９はヒンジ、１０は欠番、１１はタンク、１２は球払出機構、１３は球貯蔵室、１４は球貯蔵室１３の底面、１５は球払出供給口、１６は球払出収容部、１７は球払出排出口、１８は欠番、１９は球払出モータ、２０は球払出構造体、２１は出力軸、２２は払出軸、２３は螺旋体、２４は隙間、２５乃至３０は欠番、３１はタンク、３２は球貯蔵室、３３は球払出機構、３４は球払出モータ、３５は球払出構造体、３６は球払出供給口、３７は球払出収容部、３８は球払出排出口、３９は球樋、４０は球貯蔵室３２の底面、Ｌ１は払出軸２２の軸心、Ｌ２は球払出構造体３５の軸心。
【図１】
2008125581.tif 000003
【図２】
2008125581.tif 000004
【図３】
2008125581.tif 000005
【図４】
2008125581.tif 000006